(57)【要約】【課題】長尺フレキシブルダクトの接続部からの空気洩れとダクトの抜けを確実に防止できるようなワンタッチ式の接続構造を提供する。【解決手段】長尺フレキシブルダクトの差し込み部分の外周に複数の抜け防止金具が取り付けられている。この抜け防止金具は半径方向に突出する爪形突起で形成され、分岐ボックスの長尺フレキシブルダクト受け入れ部分に前記爪形突起を受け入れ可能な複数の凹所が形成されている。長尺フレキシブルダクトを分岐ボックス内に挿入した際に前記爪形突起が前記凹所内に挿入され、分岐ボックス内部で回転させられることにより、その位置に保持され、フレキシブルダクトが分岐ボックスから抜けるのが防止される。【選択図】        図１
2005201551.tif 000002
【特許請求の範囲】
【請求項１】
空調用ダクトの分岐ボックスに接続される長尺フレキシブルダクト用の抜け防止接続装置であって、
長尺フレキシブルダクトの差し込み部分の外周に複数の抜け防止金具が取り付けられ、
前記抜け防止金具は半径方向に突出する爪形突起で形成され、
分岐ボックスの長尺フレキシブルダクト受け入れ部分に前記爪形突起を受け入れ可能な複数の凹所が形成され、
長尺フレキシブルダクトを分岐ボックス内に挿入した際に前記爪形突起が前記凹所内に挿入され、分岐ボックス内部で回転させられることにより、その位置に保持されるようになっていることを特徴とする長尺フレキシブルダクトの抜け防止接続装置。
【発明の詳細な説明】
【技術分野】
【０００１】
本発明は、空調用配管において長尺フレキシブルダクトを分岐ボックスに接続する際の接続構造に関する。
【背景技術】
【０００２】
図３に示すように、ビルや工場内の天井部分には一般に空調用の分岐ボックス１０が吊り金具１９を用いて設置され、分岐ボックス１０の側面にはフランジ固定式の接続口１２が設けられて空調供給源（図示せず）から空調用空気が供給されるようになっている。分岐ボックス１０の他の側面には一般に長尺のフレキシブルダクト１４ａ，１４ｂ，１４ｃ，１４ｄがワンタッチ式の取付手段１６ａ，１６ｂなどを介して接続され、フレキシブルダクトの他端はワンタッチ式の取付手段１７ｃ，１７ｄなどを介して天井裏に取り付けられたシステム天井用吹出チャンバー１８ａ，１８ｂ，１８ｃ，１８ｄに接続されて、所定の空調対象室へと空気が送られるようになっている。一般にフレキシブルダクトの外周は保温材で覆われ、消音効果を保てるようになっている。また、分岐ボックス内部にも保温・消音用のグラスウールが充填されている。
【０００３】
前述したワンタッチ式の取付手段１６ａ，１６ｂ，１７ｃ，１７ｄには各種の方式が採用されているが、図４Ａ，Ｂ，Ｃにその一例を示す。図４Ａに接続前の状態で示すように、分岐ボックス１０の端面１１に円環状の接続金具５０が突出して取り付けられ、その内部に保温・消音用のグラスウール５２が内蔵され、接続金具５０の内縁に封止用のパッキン５４が取り付けられている。一方、フレキシブルダクト１４の側には、その先端に筒形のワンタッチネック部５６が挿入され、その周囲に接着テープ５８が巻かれ、鋼板ベルト６０で締め付けられている。ワンタッチネック部５６の外周には摩擦力を高めるため植毛５７の加工がなされている。
【０００４】
図４Ｂは分岐ボックス１０の内部にフレキシブルダクト１４を挿入した状態を表しており、図４Ｃに拡大して示すように、植毛加工されたワンタッチネック部５６の先端がパッキン５４を押し込むように挿入され、パッキン５４と植毛５７の間の摩擦力によってフレキシブルダクト１４がその位置に保持されるようになっている。なお、グラスウール５２とパッキン５４との間にはパッキン押え５３が挿入され、さらにパッキン５４の抜けを防止するための凹所（リブ）５５が設けられている。
【０００５】
しかしながら、このような摩擦力を利用した接続方法であると、施工時の差し込み不良により、不完全な接続で空気洩れが生じたり、施工後のメンテナンスや地震などの外力を受けて差し込み部分が外れる可能性があった。
【特許文献１】特開２００３−６５５８９「空調用ダクトの接続装置」や特開２００３−１４８７９３「空調用ダクトの接続装置」には、分岐ボックス側と接続配管側とのそれぞれに環状凸部を複数個所設けて、力を加えてダクトを差し込むことにより、両者を弾力保持させる方法が記載されている。しかしながら、このような環状凸部は精度良く仕上げることが容易でないから施工時に凹凸を正確に合わせることが困難で、合わせ面の環状凸部の寸法誤差によって、空気洩れやダクトの抜けを生じやすいという欠点が知られている。
【発明の開示】
【発明が解決しようとする課題】
【０００６】
本発明の目的は、フレキシブルダクトの接続部からの空気洩れとダクトの抜けを確実に防止できるようなワンタッチ式の接続構造を提供することにある。
【課題を解決するための手段】
【０００７】
本発明の前述した課題は、空調用ダクトの分岐ボックスに接続される長尺フレキシブルダクト用の抜け防止接続装置であって、長尺フレキシブルダクトの差し込み部分の外周に複数の抜け防止金具が取り付けられ、前記抜け防止金具は半径方向に突出する爪形突起で形成され、分岐ボックスの長尺フレキシブルダクト受け入れ部分に前記爪形突起を受け入れ可能な複数の凹所（切り込み）が形成され、長尺フレキシブルダクトを分岐ボックス内に挿入した際に前記爪形突起が前記凹所内に挿入され、分岐ボックス内部で回転させられることにより、その位置に保持されるようになっている抜け防止接続装置によって達成される。
【発明の効果】
【０００８】
かかる構成に基づき、本発明によれば、
（１）フレキシブルダクトを分岐ボックスに挿入する際は抜け防止金具が分岐ボックス内でストップするまで挿入するので、施工時に差し込み不足が生じるおそれがなくなる
（２）作業に熟練を必要としないので、熟練度の差による施工むらがなくなる
（３）金具の爪による引っ掛かりを利用した抜け防止機構なので、抜けを確実に防止できる
（４）施工後のメンテナンスや地震の際にも不意に抜けるようなトラブルが防止できる。
【０００９】
以下、添付図面の実施例を参照しながら、本発明についてさらに詳述する。
【発明を実施するための最良の形態】
【００１０】
図１及び図２は本発明による長尺フレキシブルダクトの抜け防止接続装置の好適な態様を表しており、図１Ａはフレキシブルダクトを差し込む前の状態、図１Ｂは差し込み後の状態、図１Ｃは差し込み部分における金具と凹所の位置関係、図１Ｄは図１ＣのＤ部分を拡大して表している。図１Ａの接続前の状態で、分岐ボックス１０の端面１１にある端板１１ａの裏側にワンタッチパッキン２４が埋め込まれるようにして取り付けられ、その内側に保温・消音用のグラスウール５２が内蔵されている。
【００１１】
一方、長尺フレキシブルダクト１４の側には、その先端に筒形のワンタッチネック部２６が挿入（圧入）され、その外周には摩擦力を高めるため植毛２７の加工がなされている。図１Ｃに示すように、フレキシブルダクト１４の差し込み部分（ワンタッチネック部）２６の外周に抜け防止金具２８が２個所取り付けられ、各抜け防止金具２８は半径方向に突出する爪形突起２８ａに形成されている。さらに、分岐ボックス１０のフレキシブルダクト受け入れ部分（端板１１ａ）に抜け防止金具２８の爪形突起２８ａを受け入れ可能な凹所（切り込み）３０が円周方向に４個所設けられている。これらの爪形突起２８ａと凹所３０は円周方向に整合する位置（好適には等間隔）に設けられており、図１Ｂ〜Ｄに示すように、両者を合致させた位置で差し込むことが可能になっている。
【００１２】
図２Ａ，Ｂは、図１Ｂに示したように長尺フレキシブルダクト１４の差し込み部分２６を分岐ボックス１０内に挿入してから、差し込み部分２６を回転させて固定した後の状態を表している。前述したように、分岐ボックス１０内にはグラスウール５２が充填されているので、爪形突起２８ａを凹所３０内で回転させることが可能である。図２Ｂに示すように、凹所３０内に挿入された爪形突起２８ａは回転後は円周方向に沿った位置へと移動させられ、グラスウールの抵抗で適当な位置で停止する。
【００１３】
詳細には図２Ａに拡大して示すように、植毛加工されたワンタッチネック部２６の先端がパッキン２４を押し込むように挿入され、パッキン２４と植毛２７の間の摩擦力によっても、フレキシブルダクト１４がその位置に保持される。なお、グラスウール５２とパッキン２４との間にはパッキン押え２３が挿入され、さらにパッキン２４の抜けを防止するための凹所２５（リブ）が設けられている。かくして、長尺フレキシブルダクトを分岐ボックス内に挿入した際に爪形突起２８ａが凹所３０内に挿入され、分岐ボックス１０の内部で回転させられることにより、その位置に保持されるようになっている。フレキシブルダクトを分岐ボックスから外す際は、爪形突起２８ａを逆方向に回転させ、凹所３０に合致した位置で引き出すことにより、両者を分離することができる。なお、必要に応じて、円周方向にストッパを設けることもできる。
【実施例】
【００１４】
本発明における各種部材の材料仕様を例示すれば以下の通りである。
（１）分岐ボックスの端板  ＳＧＣＣ鋼板  厚さ０．８ｍｍ
（２）ワンタッチパッキン  シリコーン系ゴムパッキン
（３）ワンタッチネック  ＳＧＣＣ鋼板  厚さ０．８ｍｍ
（４）抜け防止金具  ＳＵＳ３０４鋼板  厚さ０．３ｍｍ
（５）植毛  ポリアクリロニトリル系耐炎繊維
【産業上の利用可能性】
【００１５】
以上詳細に説明した如く、本発明の抜け防止接続装置によれば、フレキシブルダクトを分岐ボックスに挿入する際は抜け防止金具が分岐ボックス内でストップするまで挿入するので施工時に差し込み不足が生じるおそれがなくなる、作業に熟練を必要としないので熟練度の差による施工むらがなくなる、金具の爪による引っ掛かりを利用した抜け防止機構なので抜けを確実に防止できる、施工後のメンテナンスや地震の際にも不意に抜けるようなトラブルが防止できる等の効果が得られ、その技術的効果には極めて顕著なものがある。
【図面の簡単な説明】
【００１６】
【図１】本発明による接続装置の差し込み前後の状態を表す断面図。
【図２】本発明による接続装置の差し込み後の固定状態を表す断面図。
【図３】本発明を適用する分岐ボックスとフレキシブルダクトの斜視図。
【図４】従来の接続装置の差し込み前後の状態を表す断面図。
【符号の説明】
【００１７】
１０  分岐ボックス
１１  端面
１１ａ  端板
１４  フレキシブルダクト
１６，１７，２６  差し込み部分
２４  パッキン
２８  抜け防止金具
２８ａ  爪形突起
３０  凹所
【図１】
2005201551.tif 000003
【図２】
2005201551.tif 000004
【図３】
2005201551.tif 000005
【図４】
2005201551.tif 000006